(57)【特許請求の範囲】
【請求項１】
波付け方向と直交する方向に円弧状に湾曲させた角波板によって形成されたアーチ状構造物ユニットを、桁方向に互いに連結した角波板製アーチ状構造物の基礎構造において、
前記構造物ユニットの端部が固定されるコンクリート製基礎構造体と、前記基礎構造体の上部外側コーナー部に、前記基礎構造体の全長に亘って固定された山形鋼からなる基礎鋼材と、前記基礎鋼材の垂直側フランジに、上部が前記基礎構造体の上面から突出するように、前記構造物ユニットの外側フランジ間隔と同一間隔をあけて垂直に固定された外側鋼材と、前記基礎鋼材の水平側フランジに、前記構造物ユニットの内側フランジと前記外側フランジとの間の間隔と同一間隔をあけて、前記基礎鋼材の全長に亘って固定された内側鋼材とからなり、前記外側鋼材及び前記内側鋼材の外面には、ナットが固定されていると共に、前記外側鋼材と前記内側鋼材との間に挿入された前記構造物ユニットの端部は、前記構造物ユニットの内側から前記ナットにねじ込まれるボルトによって、前記基礎構造体に固定されていることを特徴とする、角波板製アーチ状構造物の基礎構造。
【請求項２】
前記外側鋼材は、溝形鋼からなり、前記内側鋼材は、山形鋼からなっていることを特徴とする、請求項１記載の、角波板製アーチ状構造物の基礎構造。
【発明の詳細な説明】
【０００１】
【発明の属する技術分野】
この発明は、角波板製アーチ状構造物の基礎構造、特に、組立てた構造物ユニットの基礎構造体への仮置きが容易に行え、しかも、建方調整後、構造物ユニットの内側から基礎構造体に確実に固定することができる、角波板製アーチ状構造物の基礎構造に関するものである。
【０００２】
【従来の技術】
例えば、アーチ状倉庫等の構造物を構築するには、図３に示すような断面形状を有する鋼製角波板Ａを、その波付け方向と直交する方向に円弧状に湾曲させることによってアーチ状構造物ユニットを形成し、このようにして形成した構造物ユニットを、コンクリート製基礎構造体上に固定し、且つ、桁方向に互いに連結することによって行われていた。
【０００３】
従来、上述したようにして構築されるアーチ状構造物の基礎構造には、次のようなものがあった。
▲１▼  図４に示すように、アーチ状構造物ユニット１の端部に山形鋼からなる固定部材２をボルト止め等によって固定し、基礎構造体３に予め埋め込まれたアンカーボルト４によって、山形鋼２を基礎構造体３上に固定する。以下、この基礎構造を従来技術１という。
▲２▼  図５に示すように、溝形鋼からなる連結材５によって間隔をあけて連結された溝形鋼又は山形鋼からなる一対の固定部材６を、上部が基礎構造体３上から突出するように、基礎構造体３に垂直に埋め込み、固定部材６間に構造物ユニット１の端部を挿入し、ボルト止め等によって固定する。以下、この基礎構造を従来技術２という。
▲３▼  図６に示すように、構造物ユニット１と同一断面形状の波板からなる固定部材７を、上部が基礎構造体３上から突出するように、基礎構造体３に垂直に埋め込み、構造物ユニット１の端部を固定部材７に重ね合わせ、構造物ユニット１の内側フランジ１Ａと固定部材７の内側フランジ７Ａとをボルト止め等によって固定する。以下、この基礎構造を従来技術３という。
【０００４】
【発明が解決しようとする課題】
しかしながら、上述した従来技術１は、次のような問題を有していた。即ち、構造物ユニット１の端部と基礎構造体３との結合は確実であるが、固定部材２が桁方向に分割されるので、これを接合する必要がある。しかも、構造物ユニット１の水平レベルを取るために、基礎構造体３の上面を厳密に水平にするか、レベル調整機構を設ける必要がある。施工に時間と手間がかかる。
【０００５】
従来技術２は、次のような問題を有していた。即ち、一対の固定部材６が基礎構造体３に埋め込まれるので、基礎構造体３の厚さを構造物ユニット１の外側に厚さ（Ｌ）だけ余分に形成する必要があり、その分、アーチ状構造物の構築スペースが制約される。
【０００６】
従来技術３は、次のような問題を有していた。即ち、簡便ではあるが、施工時における構造物ユニット１の開きを防止するために、ボルト等によって構造物ユニット１を仮止めする必要があり、構造物ユニット１の仮置きに不向きである。しかも、構造物ユニット１の内側フランジ１Ａと固定部材７の内側フランジ７Ａとの固定のみであるので、構造物ユニット１の端部の固定が強固に行えない。
【０００７】
従って、この発明の目的は、組立てた構造物ユニットの基礎構造体への仮置きが容易に行え、しかも、建方調整後、構造物ユニットの内側から基礎構造体に確実に固定することができる、角波板製アーチ状構造物の基礎構造を提供することにある。
【０００８】
請求項１記載の発明は、波付け方向と直交する方向に円弧状に湾曲させた角波板によって形成されたアーチ状構造物ユニットを、桁方向に互いに連結した角波板製アーチ状構造物の基礎構造において、前記構造物ユニットの端部が固定されるコンクリート製基礎構造体と、前記基礎構造体の上部外側コーナー部に、前記基礎構造体の全長に亘って固定された山形鋼からなる基礎鋼材と、前記基礎鋼材の垂直側フランジに、上部が前記基礎構造体の上面から突出するように、前記構造物ユニットの外側フランジ間隔と同一間隔をあけて垂直に固定された外側鋼材と、前記基礎鋼材の水平側フランジに、前記構造物ユニットの内側フランジと前記外側フランジとの間の間隔と同一間隔をあけて、前記基礎鋼材の全長に亘って固定された内側鋼材とからなり、前記外側鋼材及び前記内側鋼材の外面には、ナットが固定されていると共に、前記外側鋼材と前記内側鋼材との間に挿入された前記構造物ユニットの端部は、前記構造物ユニットの内側から前記ナットにねじ込まれるボルトによって、前記基礎構造体に固定されていることに特徴を有するものである。
【０００９】
請求項２記載の発明は、前記外側鋼材は、溝形鋼からなり、前記内側鋼材は、山形鋼からなっていることに特徴を有するものである。
【００１０】
【発明の実施の形態】
次に、この発明の、角波板製アーチ状構造物の基礎構造の一実施態様を、図面を参照しながら説明する。
【００１１】
図１は、この発明の、角波板製アーチ状構造物の基礎構造を示す部分断面図、図２は、図１のＡ−Ａ線断面図である。
図１および図２において、８は、アーチ状構造物ユニットであり、波付け方向と直交する方向に円弧状に湾曲させた鋼製角波板Ａ（図３参照）によって形成されている。９は、構造物ユニット８の端部が固定されるコンクリート製基礎構造体、１０は、基礎構造体９の上部外側コーナー部に、基礎構造体９の全長に亘って頭付きスタッド１１によって固定された山形鋼からなる基礎鋼材である。基礎鋼材１０の垂直側フランジ１０Ａは、基礎構造体９の外側の側面に露出し、水平側フランジ１０Ｂは、基礎構造体９の上面に露出している。従って、基礎構造体９の上面は、水平面に形成されている。
【００１２】
１２は、外側鋼材である。外側鋼材１２は、基礎鋼材１０の垂直側フランジ１０Ａに、上部が基礎構造体９の上面からから突出するように、構造物ユニット８の外側フランジ８Ａ間隔と同一間隔をあけて垂直に溶接等によって固定されている。１３は、外側鋼材１２の外面に予め溶接されたナットである。
【００１３】
１４は、内側鋼材である。内側鋼材１４は、基礎鋼材１０の水平側フランジ１０Ｂに、構造物ユニット８の外側フランジ８Ａと内側フランジ８Ｂとの間の間隔と同一間隔をあけて、基礎鋼材１０の全長に亘ってアンカーボルト１５によって固定されている。１６は、内側鋼材の外面に予め溶接されたナットである。
【００１４】
このように構成されている、この発明の、角波板製アーチ状構造物の基礎構造によれば、以下のようにして、アーチ状構造物が構築される。
予め組み立てた構造物ユニット８の端部を外側鋼材１２と内側鋼材１４との間に挿入して、構造物ユニット８を基礎構造体９上に仮置きする。構造物ユニット８の端部は、外側鋼材１２と内側鋼材１４とによって挟まれるので、仮置きに際して、構造物ユニット８に開きは生じない。しかも、基礎構造体９の上面は、基礎鋼材１０の水平側フランジ１０Ｂであるので、構造物ユニット８の水平レベルは、容易に取れる。
【００１５】
このようにして、構造物ユニット８を基礎構造体９上に仮置きした後、予め構造物ユニット８に形成されたボルト孔からボルト１７を各ナット１３、１６にねじ込んで、構造物ユニット８の端部を外側鋼材１２と内側鋼材１４とに固定する。ボルト１７による締結作業は、全て構造物ユニット８の内側から行える。このようにして、構造物ユニット８を基礎構造体９に固定し、構造物ユニット８同士を桁方向に互いに連結すれば、アーチ状構造物が構築される。
【００１６】
【発明の効果】
以上説明したように、この発明によれば、以下のような有用な効果がもたらされる。
▲１▼  基礎構造体の上面は、基礎鋼材の水平側フランジによって形成されるので、構造物ユニットの水平レベルが容易に取れる。
▲２▼  構造物ユニットの端部は、外側鋼材と内側鋼材とによって挟まれるので、構造物ユニットに開きが生じることなく、構造物ユニットの仮置きが行える。
▲３▼  外側鋼材及び内側鋼材の外面に予めナットが固定されているので、構造物ユニットの端部のボルトによる締結作業が全て構造物ユニットの内側から行える。
▲４▼  構造物ユニットの端部を固定するための外側鋼材が基礎構造体の外側側面に固定されているので、基礎構造体の厚さを構造物ユニットの外側に余分に形成する必要がなく、その分、アーチ状構造物の構築スペースが制約されない。
▲５▼  基礎鋼材を長尺ものにすることができるので、基礎鋼材同士の接合箇所が減少する。
【図面の簡単な説明】
【図１】この発明の、角波板製アーチ状構造物の基礎構造を示す部分断面図である。
【図２】図１のＡ−Ａ線断面図である。
【図３】角波板を示す断面図である。
【図４】従来技術１を示す断面図である。
【図５】従来技術２を示す断面図である。
【図６】従来技術３を示す断面図である。
【符号の説明】
１：構造物ユニット
１Ａ：内側フランジ
２：固定部材
３：基礎構造体
４：アンカーボルト
５：連結部材
６：固定部材
７：固定部材
７Ａ：内側フランジ
８：構造物ユニット
８Ａ：外側フランジ
８Ｂ：内側フランジ
９：基礎構造体
１０：基礎鋼材
１０Ａ：垂直側フランジ
１０Ｂ：水平側フランジ
１１：スタッド
１２：外側鋼材
１３：ナット
１４：内側鋼材
１５：アンカーボルト
１６：ナット
１７：ボルト
【図１】
0003763952.tif 000002
【図２】
0003763952.tif 000003
【図３】
0003763952.tif 000004
【図４】
0003763952.tif 000005
【図５】
0003763952.tif 000006
【図６】
0003763952.tif 000007